(57)【要約】【課題】商品の改廃や価格の変更に伴う商品の陳列情報を容易にかつ確実に把握し、棚札表示を実行する。【解決手段】商品棚の各段に取り付けられた電子ペーパに、各段に配置された各商品の棚札に対応する情報を表示させる商品改廃支援システムは、取り扱う商品を特定する商品コードおよび価格を含む商品情報ファイル、商品棚の各段に陳列すべき商品に関する情報からなる陳列情報ファイルであって、各レコードが、少なくとも商品コードおよび棚札のタイプを特定する情報を含む陳列情報ファイルを記憶するデータベース２２とを備え、商品棚の各段に商品が配置された領域に、それぞれ、商品に対応する商品情報ファイルおよび陳列情報ファイルのレコードに基づき、棚札に対応する棚札データユニットを作成し、段に配置される商品の棚札データユニットの集合体である電子ペーパ表示データを、商品棚の段に関連する電子ペーパに伝達する。【選択図】    図１
2004334415.tif 000002
【特許請求の範囲】
【請求項１】
商品棚の各段に取り付けられた電子ペーパに、前記商品棚の各段に配置された各商品の棚札に対応する情報を表示させる商品改廃支援システムであって、
取り扱う商品を特定する商品コードおよび価格を含む、当該商品に関する種々の情報からなる商品情報ファイルを記憶する商品情報ファイル記憶手段と、
前記商品棚の各段に陳列すべき商品に関する情報からなる陳列情報ファイルであって、各レコードが、少なくとも商品コードおよび棚札のタイプを特定する情報を含む陳列情報ファイルを記憶する陳列情報ファイル記憶手段と、
商品棚の各段に商品が配置された領域に、それぞれ、当該商品に対応する商品情報ファイルおよび陳列情報ファイルのレコードに基づき、棚札に対応する棚札データユニットを作成し、段に配置される商品の棚札データユニットの集合体である電子ペーパ表示データを、前記商品棚の段に関連する電子ペーパに伝達する電子ペーパ表示データ生成手段とを備えたことを特徴とする商品改廃支援システム。
【請求項２】
さらに、特売品となる商品に関する情報からなる特売情報ファイルであって、各レコードが、少なくとも商品コード、特売価格、および、特売期間を特定する情報を含む特売情報ファイルを記憶する特売情報ファイル記憶手段を備え、
前記電子ペーパ表示データ生成手段が、陳列情報ファイル中のレコードにかかる商品に関して、前記特売情報ファイルのレコードが存在し、かつ、特売期間情報に基づき、当該商品を特売価格にて販売すべきである場合に、前記特売情報ファイルのレコードに基づき、当該商品の棚札データユニットを生成するように構成されたことを特徴とする請求項１に記載の商品改廃支援システム。
【請求項３】
前記特売情報ファイルのレコードが、棚札のタイプを特定する情報を含むことを特徴とする請求項２に記載の商品改廃支援システム。
【請求項４】
前記電子ペーパ表示データ生成手段が、各段の商品に対応する陳列情報ファイルを参照し、配置すべき商品に変更がある場合に、当該段に関する電子ペーパ表示データを生成するように構成されたことを特徴とする請求項１ないし３の何れか一項に記載の商品改廃支援システム。
【請求項５】
前記陳列情報ファイルのレコードが、各段に配置される商品の列の位置および幅を特定する情報を含み、
前記電子ペーパ表示データ生成手段が、前記列の位置および幅を特定する情報に基づき、棚札を表示すべき位置を算出し、当該位置に表示すべき棚札データユニットを生成するように構成されたことを特徴とする請求項１ないし４の何れか一項に記載の商品改廃支援システム。
【請求項６】
さらに、前記棚札のタイプを特定する一連の情報をレコードとする棚札タイプファイルを記憶する棚札タイプ記憶手段を備え、
前記棚札タイプファイルのレコードが、棚札を構成するための、配置された商品の複数の表示領域のそれぞれの表示位置および表示内容を含み、
前記電子ペーパ表示データ生成手段が、前記棚札の表示すべき位置、および、各表示領域の表示位置および表示内容に基づき、棚札データユニットを生成するように構成されたことを特徴とする請求項５に記載の商品改廃支援システム。
【請求項７】
商品棚の各段に取り付けられた電子ペーパに、前記商品棚の各段に配置された各商品の棚札に対応する情報を表示させるため、取り扱う商品を特定する商品コードおよび価格を含む、当該商品に関する種々の情報からなる商品情報ファイルを記憶する商品情報ファイル記憶手段と、前記商品棚の各段に陳列すべき商品に関する情報からなる陳列情報ファイルであって、各レコードが、少なくとも商品コードおよび棚札のタイプを特定する情報を含む陳列情報ファイルを記憶する陳列情報ファイル記憶手段とを備えたコンピュータを作動させる、コンピュータにより読み出し可能なプログラムであって、
商品棚の各段に商品が配置された領域に、それぞれ、当該商品に対応する商品情報ファイルおよび陳列情報ファイルのレコードに基づき、棚札に対応する棚札データユニットを作成し、前記棚札データユニットに基づいて、段に配置される商品の棚札データユニットの集合体である電子ペーパ表示データを作成する電子ペーパ表示データ生成ステップと、
前記商品棚の段に関連する電子ペーパに、前記電子ペーパ表示データを伝達する電子ペーパ表示データ伝達ステップとを、前記コンピュータに実行させることを特徴とするプログラム。
【請求項８】
前記コンピュータが、特売品となる商品に関する情報からなる特売情報ファイルであって、各レコードが、少なくとも商品コード、特売価格、および、特売期間を特定する情報を含む特売情報ファイルを記憶する特売情報ファイル記憶手段を備え、
さらに、陳列情報ファイル中のレコードにかかる商品に関して、前記特売情報ファイルのレコードが存在し、かつ、特売期間情報に基づき、当該商品を特売価格にて販売すべきである場合に、前記特売情報ファイルのレコードに基づき、当該商品の棚札データユニットを生成するステップを、前記コンピュータに実行させることを特徴とする請求項７に記載のプログラム。
【請求項９】
前記電子ペーパ表示データ生成ステップにおいて、各段の商品に対応する陳列情報ファイルを参照し、配置すべき商品に変更がある場合に、当該段に関する電子ペーパ表示データを生成するステップを、前記コンピュータに実行させることを特徴とする請求項７または８に記載のプログラム。
【請求項１０】
前記陳列情報ファイルのレコードが、各段に配置される商品の列の位置および幅を特定する情報を含み、
前記電子ペーパ表示データ生成ステップにおいて、前記列の位置および幅を特定する情報に基づき、棚札を表示すべき位置を算出し、当該位置に表示すべき棚札データユニットを生成するステップを前記コンピュータに実行させることを特徴とする請求項７ないし９の何れか一項に記載のプログラム。
【請求項１１】
前記コンピュータが、前記棚札のタイプを特定する一連の情報をレコードとする棚札タイプファイルを記憶する棚札タイプ記憶手段を備え、前記棚札タイプファイルのレコードが、棚札を構成するための、配置された商品の複数の表示領域のそれぞれの表示位置および表示内容を含み、
前記電子ペーパ表示データ生成ステップにおいて、前記棚札の表示すべき位置、および、各表示領域の表示位置および表示内容に基づき、棚札データユニットを生成するステップを、前記コンピュータに実行させることを特徴とする請求項１０に記載のプログラム。
【発明の詳細な説明】
【０００１】
【発明の属する技術分野】
本発明は、小売業における商品改廃を支援するシステムに関する。
【０００２】
【従来の技術】
スーパー、コンビニ、ディスカウントストアなどチェーン店制の小売り店舗において、商品棚に並べられている商品の名称、容量、売価等の商品情報や、商品が商品棚のどの位置に並べられているかという商品陳列情報をコンピュータファイルに保持している（たとえば、特許文献２参照）。
【０００３】
そして、店舗では売上げを得るために、季節やその時代の売れ筋商品を考慮して、陳列場所を変えたり、新商品と入れ換えたりしている（商品改廃という）。また、小売り店舗の商品棚に並べられている商品について、印刷された棚札を、人が手動で商品棚に付着させるケースが多い。印刷物ではなく電子媒体を利用した電子値札や電子棚札が使用されるケースもある（たとえば、特許文献１参照）。
【０００４】
【特許文献１】特開２００２−３０４６７３号公報（第４−５頁、第１−４図）
【０００５】
【特許文献２】特開２００２−１０９１７７号公報（第４−８頁  第４−２１図）
【０００６】
【非特許文献１】「テクノロジー、オンライン、Ｅインク社  （“Ｔｅｃｈｎｏｌｏｇｙ”，  ［ｏｎｌｉｎｅ］，  Ｅ  Ｉｎｋ  Ｃｏｒｐｏｒａｔｉｏｎ）」、［平成１５年４月１４日検索］、インターネット＜ＵＲＬ：
ｈｔｔｐ：／／ｗｗｗ．ｅｉｎｋ．ｃｏｍ／ｔｅｃｈｎｏｌｏｇｙ／ｉｎｄｅｘ．ｈｔｍｌ＞
【０００７】
【発明が解決しようとする課題】
しかしながら、電子値札や電子棚札を利用しても、印刷物の場合同様に、人が手動で商品棚に付着させる必要があるうえ、商品名やバーコードについては、別途印刷されたものを準備し貼付しなければならないことが多い。このような従来の棚札には、次の問題点がある。
【０００８】
（１）商品改廃、売価の変更、特売による一時的な売価の変更において、印刷された棚札や電子棚札の準備や人手による付け替えが必要である。
【０００９】
商品改廃にあたって、商品情報については、発注のための必要性により、および本部で管理されている更新情報が店舗へ送信されることにより、最新の情報に更新されるが、商品陳列情報については、本部で情報の管理は行われていないのが大半であり、また、店舗においてもすぐに更新しなくても、さほど販売に支障がないためか更新されないまま放置される傾向がある。そうすると、棚卸の実行直後には実際の商品陳列の状態とコンピュータファイルに保持する商品陳列情報とが一致していても、時間の経過と共に違いが大きくなって行くという問題点がある。これに付随して次のような問題も発生する。
【００１０】
（２）商品発注の際に、発注すべき商品の陳列場所を個人の記憶または目視で確認し、商品コードを入力した上で注文数を入力しなければならないため、入力操作がめんどうである。
【００１１】
（３）棚卸の際に、目視で確認し、陳列場所、商品コードを入力した上で在庫数を入力しなければならないため、入力操作がめんどうである。
【００１２】
（４）商品が商品棚のどの位置にあるかの情報の信頼性が低いため、コンピュータを使用した売れ筋商品分析をおこなう際に、商品陳列情報を改めて入力しなければならない（たとえば、特許文献２参照）。
【００１３】
本発明は、商品の改廃や価格の変更に伴う商品の陳列情報を容易にかつ確実に把握し、棚札表示を実行することができる商品改廃支援システムを提供することを目的とする。
【００１４】
【課題を解決するための手段】
店舗において、印刷物であれ電子的な棚札であれ商品別に１個ずつ取り付ける従来の棚札を使用しないで、商品棚の段ごとに電子インク技術を利用した１個の電子ペーパを付着させる（非特許文献１参照）。
【００１５】
電子ペーパにはあらかじめ識別子がつけられ、１個ずつ管理できるようになっている。電子ペーパ管理装置がそれぞれの電子ペーパに表示する文字または図形と表示位置を制御する。このようにして、商品別に印刷された棚札や電子棚札ではなく、商品棚の段ごとに１個の電子ペーパに電子的に棚札情報を表示する。本発明による商品改廃支援システムは、商品棚に並べられている商品の名称、容量、売価等の商品情報ファイルと、商品が商品棚のどの位置に並べられているかという陳列情報ファイルから、電子ペーパに表示する商品名称、売価、陳列される商品棚と位置等の棚札情報を抽出、計算して、電子ペーパ管理装置へ送信する。電子ペーパ管理装置は、該当する棚の電子ペーパに受信した棚札情報を表示する。店舗において商品改廃を行う場合には、店舗改廃支援サーバが陳列情報ファイルの内容をもとに案内画面を表示し、店舗担当者は表示された画面から入力するため、実際の商品陳列の状態とコンピュータに保持する陳列情報ファイルとは一致することになる。
【００１６】
より詳細に、本発明の目的は、商品棚の各段に取り付けられた電子ペーパに、前記商品棚の各段に配置された各商品の棚札に対応する情報を表示させる商品改廃支援システムであって、取り扱う商品を特定する商品コードおよび価格を含む、当該商品に関する種々の情報からなる商品情報ファイルを記憶する商品情報ファイル記憶手段と、前記商品棚の各段に陳列すべき商品に関する情報からなる陳列情報ファイルであって、各レコードが、少なくとも商品コードおよび棚札のタイプを特定する情報を含む陳列情報ファイルを記憶する陳列情報ファイル記憶手段と、商品棚の各段に商品が配置された領域に、それぞれ、当該商品に対応する商品情報ファイルおよび陳列情報ファイルのレコードに基づき、棚札に対応する棚札データユニットを作成し、段に配置される商品の棚札データユニットの集合体である電子ペーパ表示データを、前記商品棚の段に関連する電子ペーパに伝達する電子ペーパ表示データ生成手段とを備えたことを特徴とする商品改廃支援システムにより達成される。
【００１７】
本発明によれば、陳列情報ファイルのレコードに基づいて、複数の棚札が所定の位置に配置されたような電子的なデータ（電子ペーパ表示データ）が生成される。これを、電子ペーパに伝達することにより、配置された商品に合致した棚札を表示することができる。
【００１８】
好ましい実施態様においては、さらに、特売品となる商品に関する情報からなる特売情報ファイルであって、各レコードが、少なくとも商品コード、特売価格、および、特売期間を特定する情報を含む特売情報ファイルを記憶する特売情報ファイル記憶手段を備え、前記電子ペーパ表示データ生成手段が、陳列情報ファイル中のレコードにかかる商品に関して、前記特売情報ファイルのレコードが存在し、かつ、特売期間情報に基づき、当該商品を特売価格にて販売すべきである場合に、前記特売情報ファイルのレコードに基づき、当該商品の棚札データユニットを生成するように構成されている。これにより、一時的に商品が特売となり異なる価格で販売されるときにも適切に対応することが可能となる。特売情報ファイルのレコードが、棚札のタイプを特定する情報を含んでいても良い。これにより、特売の際に価格を大きく表示するなど、所望の表示をなすことが可能となる。
【００１９】
別の好ましい実施態様においては、電子ペーパ表示データ生成手段が、各段の商品に対応する陳列情報ファイルを参照し、配置すべき商品に変更がある場合に、当該段に関する電子ペーパ表示データを生成するように構成されている。
【００２０】
また、別の好ましい実施態様においては、陳列情報ファイルのレコードが、各段に配置される商品の列の位置および幅を特定する情報を含み、前記電子ペーパ表示データ生成手段が、前記列の位置および幅を特定する情報に基づき、棚札を表示すべき位置を算出し、当該位置に表示すべき棚札データユニットを生成するように構成されている。
【００２１】
さらに、前記棚札のタイプを特定する一連の情報をレコードとする棚札タイプファイルを記憶する棚札タイプ記憶手段を備え、前記棚札タイプファイルのレコードが、棚札を構成するための、配置された商品の複数の表示領域のそれぞれの表示位置および表示内容を含み、前記電子ペーパ表示データ生成手段が、前記棚札の表示すべき位置、および、各表示領域の表示位置および表示位置に基づき、棚札データユニットを生成するように構成されていても良い。
【００２２】
また、本発明の目的は、商品棚の各段に取り付けられた電子ペーパに、前記商品棚の各段に配置された各商品の棚札に対応する情報を表示させるため、取り扱う商品を特定する商品コードおよび価格を含む、当該商品に関する種々の情報からなる商品情報ファイルを記憶する商品情報ファイル記憶手段と、前記商品棚の各段に陳列すべき商品に関する情報からなる陳列情報ファイルであって、各レコードが、少なくとも商品コード、価格、および、棚札のタイプを特定する情報を含む陳列情報ファイルを記憶する陳列情報ファイル記憶手段とを備えたコンピュータを作動させる、コンピュータにより読み出し可能なプログラムであって、商品棚の各段に商品が配置された領域に、それぞれ、当該商品に対応する商品情報ファイルおよび陳列情報ファイルのレコードに基づき、棚札に対応する棚札データユニットを作成し、前記棚札データユニットに基づいて、段に配置される商品の棚札データユニットの集合体である電子ペーパ表示データを作成する電子ペーパ表示データ生成ステップと、前記商品棚の段に関連する電子ペーパに、前記電子ペーパ表示データを伝達する電子ペーパ表示データ伝達ステップとを、前記コンピュータに実行させることを特徴とするプログラムによっても達成される。
【００２３】
好ましい実施態様においては、コンピュータが、特売品となる商品に関する情報からなる特売情報ファイルであって、各レコードが、少なくとも商品コード、特売価格、および、特売期間を特定する情報を含む特売情報ファイルを記憶する特売情報ファイル記憶手段を備え、さらに、陳列情報ファイル中のレコードにかかる商品に関して、前記特売情報ファイルのレコードが存在し、かつ、特売期間情報に基づき、当該商品を特売価格にて販売すべきである場合に、前記特売情報ファイルのレコードに基づき、当該商品の棚札データユニットを生成するステップを、前記コンピュータに実行させる。
【００２４】
別の好ましい実施態様においては、電子ペーパ表示データ生成ステップにおいて、各段の商品に対応する陳列情報ファイルを参照し、配置すべき商品に変更がある場合に、当該段に関する電子ペーパ表示データを生成するステップを、前記コンピュータに実行させる。
【００２５】
また、別の好ましい実施態様においては、前記陳列情報ファイルのレコードが、各段に配置される商品の列の位置および幅を特定する情報を含み、前記電子ペーパ表示データ生成ステップにおいて、前記列の位置および幅を特定する情報に基づき、棚札を表示すべき位置を算出し、当該位置に表示すべき棚札データユニットを生成するステップを前記コンピュータに実行させる。
【００２６】
さらに、コンピュータが、前記棚札のタイプを特定する一連の情報をレコードとする棚札タイプファイルを記憶する棚札タイプ記憶手段を備え、前記棚札タイプファイルのレコードが、棚札を構成するための、配置された商品の複数の表示領域のそれぞれの表示位置および表示内容を含み、前記電子ペーパ表示データ生成ステップにおいて、前記棚札の表示すべき位置、および、各表示領域の表示位置および表示内容に基づき、棚札データユニットを生成するステップを、前記コンピュータに実行させても良い。
【００２７】
【発明の実施の形態】
以下、添付図面を参照して、本発明の実施の形態について説明する。図１は、本発明の実施の形態にかかる商品改廃支援システムのシステム構成を示すブロックダイヤグラムである。
【００２８】
図１に示すように、商品改廃システムは、本部システム１２、各店舗に配置される店舗システム１４、店舗システムに接続されたＰＯＳ（Ｐｏｉｎｔ  Ｏｆ  Ｓａｌｅｓ）端末１６−１、１６−２、・・・１６−ｎを備える。
【００２９】
本部システム１２には、本部サーバ１８および商品マスタ記憶装置１７が設けられる。本部サーバ１８は、外部記憶装置に、商品の名称、容量、売価等についての最新の情報を持つ商品マスタを、商品マスタ記憶装置１７に保存し管理している。
【００３０】
各店舗に配置された店舗システム１４は、店舗サーバ２０、後述する商品情報など種々の情報を記憶するデータベース（ＤＢ）２２および商品改廃支援サーバ２４を備えている。店舗サーバ２０および商品改廃支援サーバ２４には、それぞれ、オペレータが操作するための端末２５、２６が接続されている。無論、単一の端末で、店舗サーバ２０および商品改廃支援サーバ２４の何れかに指示が与えられ、また、これらからの情報に基づく画像が表示できるように構成しても良い。
【００３１】
また、商品改廃支援サーバ２４には、店舗の棚に取り付けられた電子ペーパ３０−１、３０−２、・・・、３０−Ｎを管理するための電子ペーパ管理装置２８が接続される。本実施の形態において、商品改廃支援サーバ２４、ＤＢ２２、端末２６に加えて、ＧＯＴ（Ｇｒａｐｈｉｃａｌ  Ｏｒｄｅｒ  Ｔｅｒｍｉｎａｌ）３２により、商品改廃支援システム３４が構成される。ＧＯＴ３２は、液晶ディスプレイ、テンキーおよびバーコードスキャナおよび通信手段を備え、商品改廃支援サーバ２４との間で通信が可能となっている。
【００３２】
このように構成された商品改廃システムの概略的な動作を以下に説明する。本部システム１８において、商品マスタの更新があると、本部サーバ１８は、集配信ネットワーク１９を介して、更新のあった商品マスタの情報を、店舗システム１４内の店舗サーバ２０へ送信する。
【００３３】
店舗サーバ２０は、商品マスタの情報を受信すると、店舗システムのＤＢ２２に商品情報ファイルとして保存する。図２に、商品情報ファイルの例を示す。商品情報ファイルは、項目として、商品コード、商品略称、容量、売価などを含む。たとえば、「値１」に関するレコードから、その商品の「商品コード」が「２０５０９２２８１２」、「本部部門コード」が「０２０」、「商品略称＿漢字」が「梅干昆布」であることがわかる。また、このレコードの他の項目から、その規格容量が「１４ｇ」であることや、ユニット基準量が「１００ｇ」であること、その賞味期限、販売期限、納品期限、定番売価なども特定される。
【００３４】
また、店舗サーバ２０および／または商品改廃支援サーバ２４は、商品が商品棚のどの位置に並べられているかという情報を、ＤＢ２２に、陳列情報ファイルとして保存している。陳列情報ファイルは、本部サーバ１８または店舗サーバ２０の棚割システムの出力や、店舗の端末２５またはＧＯＴ３２からの入力に基づいて作成される。図３に、陳列情報ファイルの例を示す。陳列情報ファイルは、項目として、商品コード、陳列位置を示す棚、段、列などを含む。
【００３５】
たとえば、「値１」のレコードにより、「ＴＴ１２３」の棚の第「０３」段、第「０２」列の位置に、「商品コード」が「２０５０９２８８１２」であるような商品を陳列し、かつ、「列幅」が「４００」であり、かつ、「棚札タイプ」が「Ｓ０１」であるような棚札の情報を表示すべきことが示されるまた、このレコードにおいては、商品を横に何個並べるか（「フェース数」）、縦横に何個並べるか（「フェーシング数」）など商品の配列に関する種々の情報や、陳列すべく設定された期間の始期および終期（「設定期間自」および「設定期間至」）などが含まれる。
【００３６】
さらに、店舗サーバ２０および／または商品改廃支援２４サーバは、特売に関する情報を、ＤＢ２２に、特売情報ファイルとして保存している。特売情報ファイルは、端末２５からの入力に基づいて作成される。図４に特売情報ファイルの例を示す。特売情報ファイルは、項目として、商品コード、特売売価、特売日時などを含む。たとえば、「値１」のレコードは、「商品コード」が「２０５０９２２８１２」であるような商品を、「特売開始日日付」から「特売終了日付」つまり、「２００３年３月２１日」だけ、「特売売価」に示す価格「３４８」円で販売することを示す。また、このときに棚に陳列する際の「棚札タイプ」も特定される。
【００３７】
なお、本発明の対象外であるが、店舗サーバ２０は、通常の小売業の業務処理、すなわちＰＯＳ端末管理、発注処理、仕入れ処理、本部サーバとのデータ交換なども実行する。また、図１においては、店舗サーバ２０と商品改廃支援サーバ２４とを異なる装置として表しているが、単一の装置に、店舗サーバと商品改廃支援サーバの機能を持たせてもよいのはもちろんである。
【００３８】
本実施の形態においては、店舗において、印刷物であれ電子的な棚札であれ、商品別に１個ずつ取り付ける従来の棚札を使用しないで、図５に示すように、商品棚５００の段ごとに、１個の電子ペーパ（たとえば、図５において、符号３０−１、３０−２、・・・）を付着させる。電子ペーパ３０は、商品棚５００の段の横板の幅、高さと同程度の寸法をもつものであり、紙と同じ反射型の表示を行うことができ、１８０度近い視野角、高い反射率、高いコントラスト、明暗の照明条件に左右されない視認性を持つ、低消費電力の反射型表示媒体である。この例として、米国Ｅ  Ｉｎｋ社のＥｌｅｃｔｒｏｎｉｃ  ｉｎｋを利用した、紙と電子ディスプレイの長所を併せ持つ反射型表示媒体がある。
【００３９】
各電子ペーパ３０にはあらかじめ識別子がつけられ、１個ずつ管理できるようになっている。電子ペーパ管理装置２８が、それぞれの電子ペーパに表示する文字または図形と表示位置を、棚札情報として電子ペーパ３０に送信し、無線を介して各電子ペーパを制御する。
【００４０】
本実施の形態による商品改廃支援サーバ２４は、ＤＢ２２中の商品情報ファイルおよび陳列情報ファイルから、電子ペーパ表示データを作成し、電子ペーパ管理装置２８へ送信する。また、商品改廃支援サーバ２４は、商品情報ファイルまたは陳列情報ファイルに変更があった場合に、変更された棚札のデータを含む電子ペーパ表示データを作成し電子ペーパ管理装置２８へ送信する。
【００４１】
電子ペーパ管理装置２８は、電子ペーパ表示データを受信すると、棚札情報として、電子ペーパに送信する。該当する棚の段に配置された電子ペーパは、受理した電子ペーパ表示データに基づく棚札を表示する。
【００４２】
商品改廃支援サーバ２４は、電子ペーパに表示すべき棚札の形式および内容についての情報（棚札情報）を、ＤＢ２２に棚札タイプファイルとして保存する。棚札タイプファイルは、本部システム１２において準備され、集配信ネットワーク１９を介して、店舗システム１４に送信される。通常使用される標準の棚札タイプ、つまり、棚札の形式および内容はあらかじめ決まっている。オペレータが端末２５を操作することにより、別の棚札タイプを選択使用することもできる。商品改廃支援サーバ２４は、同一商品について、定番売価で販売されるときは、陳列情報ファイルの項目「棚札タイプ」の値を優先し、特売期間中は、特売情報ファイルの項目「棚札タイプ」の値を優先して採用する。
【００４３】
商品改廃支援サーバ２４は、棚札タイプファイルにより特定されるレイアウトに従って、電子ペーパ表示データを作成する。図６に棚札タイプファイルの例を示す。図６の「値１」のレコード、「値２」のレコードが、それぞれ棚札のタイプを示す。また、各棚札のタイプに含まれる、各項目に関する値により、棚札への表示レイアウトが決定される。
【００４４】
たとえば、「値１」のレコードにおいて、項目「表示１」は、棚札の表示領域における原点を左上端に設定し、右方向をＸ軸の正方向、下方向をＹ軸の正方向と考えた座標系における（１．０、１．０）の位置に、商品情報ファイルの項目「メーカ略称＿漢字」、「ブランド略称＿漢字」の値を、この順につないで、「表示種別」が「文字」で、かつ、「サイズ」が「５．０」の寸法で、表示すべきことを示している。同様に、項目「表示２」は、上記座標系における（１．０、６．０）の位置に、商品情報ファイルの項目「商品略称＿漢字」、「規格容量」および「規格容量単位」の値をこの順につないで、「表示種別」が「文字」で、かつ、「サイズ」が「５．０」の寸法で表示すべきことを示している。なお、ここで、位置および寸法の単位はたとえばミリメートルである。図７に、図６の「値１」のレコードにより特定される表示レイアウトに基づく電子ペーパ上への棚札の表示例を示す。
【００４５】
つまり、本実施の形態において、棚札タイプファイルで特定される複数の表示領域（たとえば、「表示１」、「表示２」、・・・）を組み合わせることにより、ある商品を特定する単一の棚札が構成される。
【００４６】
次に、上述したような電子ペーパ表示データの作成処理についてより詳細に説明する。なお、本実施の形態において、商品棚の段には、複数の棚札が配置される。電子ペーパ表示データは、表示棚の列に表示すべき一群のデータを指すものとする。また、棚札に対応する一群のデータを棚札データユニット、さらに、棚札データユニットを構成する表示領域ごとの一群のデータを、それぞれ、表示データユニットと称する。
【００４７】
商品改廃支援サーバ２４が実行する電子ペーパ表示データ作成処理は、店舗稼働日の一定時刻（たとえば、開店のｎ時間前）に起動される。必要に応じて随時、店舗担当者が起動することもできる。なお、起動時のパラメータとして日付、時刻の値が指定されれば、指定値が、処理日付および処理時刻となり、パラメータが指定されなければ、起動した日付が処理日付となり、起動した時刻が処理時刻となる。
【００４８】
商品改廃支援サーバ２４は、電子ペーパ表示データ作成処理が正常に終了すると、処理日付、処理時刻をＤＢ２２に記憶する。また、商品改廃支援サーバ２４は、電子ペーパ表示データ作成処理の開始時に、ＤＢ２２に記憶していた処理日付、処理時刻を読み込んで、これを前回処理日付、前回処理時刻とする。これにより、電子ペーパ表示データ作成処理を実行した日時を把握することが可能となる。
【００４９】
次に、商品改廃支援サーバ２４にて実行される電子ペーパ表示データ作成処理の一例について、図８に示すフローチャートを参照して説明する。
【００５０】
［陳列情報ファイル、商品情報ファイルの読込（ステップ８０２）］
商品改廃支援サーバ２４は、ＤＢ２２中の陳列情報ファイルから、ある商品棚の同一の段に属するようなレコードすべてを読み込む。商品改廃支援サーバ２４は、読み込んだ陳列情報ファイルのレコードの項目「設定期間自」の値（ｆｒとする）および項目「設定期間至」の値（ｔｏとする）と、処理日付とを比較して、条件「ｆｒ≦処理日付≦ｔｏ」を満たすようなレコードがなければ、当該商品棚の次の段に関する処理に進む。
【００５１】
その一方、条件「ｆｒ≦処理日付≦ｔｏ」を満たすようなレコードが存在する場合には、この条件「ｆｒ≦処理日付≦ｔｏ」を満たすようなレコードのみについて、以下の処理を実行する。上記条件に合致するレコードについて、商品改廃支援サーバ２４は、そのレコードの項目「商品コード」の値により特定される商品に関する、ＤＢ２２中の商品情報ファイルのレコードを読み込む。また、商品改廃支援サーバ２２は、当該レコードの項目「商品コード」の値を参照して、ＤＢ２２中に、特売情報ファイルのレコードが存在するかを調べ、存在する場合にはこのレコードを読み込む。
【００５２】
なお、図８のステップ８０２に先立つ判断処理（ステップ８０１）は、ある商品棚の全ての段のそれぞれについて、ステップ８０１〜８０４の処理が終了したか否かを判断するものである。
【００５３】
［変更の有無判定（ステップ８０３）］
商品改廃支援サーバ２４は、陳列情報ファイル中、条件「ｆｒ≦処理日付≦ｔｏ」を満たすようなレコードの項目「最終更新日付」および「最終更新時刻」の値と、前回処理日付および前回処理時刻の値とを比較して、商品棚の同一の段に属するいずれかのレコードにおいて、条件「最終更新日時＞前回処理日時」を満たす場合には、その段の電子ペーパ表示データの作成が必要と判断する。
【００５４】
商品改廃支援サーバ２４は、前のステップ８０２にて読み込んだ商品情報ファイルのレコードの項目「最終更新日付」および「最終更新時刻」の値と、前回処理日付および前回処理時刻の値とを比較して、商品棚の同一の段に属するいずれかのレコードにおいて、条件「最終更新日時＞前回処理日時」を満たす場合には、その段に関する電子ペーパ表示データの作成が必要と判断する。
【００５５】
さらに、商品改廃支援サーバ２４は、前のステップ８０２で読み込んだ特売情報ファイルのレコードがあれば、それらレコードについて、項目「特売開始日付」および「特売終了日付」と、処理日付および処理時刻とを比較して、条件「特売開始日付≦処理日付≦特売終了日付」を満たし、かつ、条件「特売開始時刻≦処理時刻」が成立する場合、特売期間中であると判定して、そのレコードにかかる商品を配置すべき段に関する電子ペーパ表示データの作成が必要と判断する。
つまり、ステップ８０３においては、上記レコードの内容を調べることにより、電子ペーパ表示データの作成が必要であるか否かを判断する。
【００５６】
［電子ペーパ表示データの作成（ステップ８０４）］
ステップ８０３でイエス（ＹＥＳ）と判断された場合、商品改廃支援サーバ２４は、電子ペーパ表示データを作成して、メモリまたはＤＢ２２に記憶する。より具体的には、商品改廃支援サーバ２４は、棚札タイプファイルを読み込み、後述のとおり、その値に従って棚札ファイルを構成する表示データユニットを作成する。
【００５７】
図９に表示データユニットの例を示す。後述するように、１個の商品の棚札情報の表示のためには、複数の表示データユニットが作成される。
図９において、項目「横位置」および「縦位置」の値は、それぞれ、原点を電子ペーパの左上端に設定し、右方向をＸ軸（横軸）の正方向、下方向をＹ軸（縦軸）の正方向と考えたときの、Ｘ座標値およびＹ座標値であり、その座標が示す位置に、項目「サイズ」の値の寸法で表示することを示す。項目「表示種別」の値が「文字」であれば、項目「表示内容」の値をそのまま文字表示し、その一方、項目「表示種別」の値が「ＪＡＮコード」であれば、項目「表示内容」の値のバーコードを表示し、或いは、項目「表示種別」の値が「図形」であれば、項目「表示内容」の値に該当するあらかじめ定められた図形を表示することを示す。
【００５８】
ここで、図形には、たとえば特売や発注停止を示すものなどがある。商品改廃が予定されており、既に発注停止となっている商品については、商品改廃支援サーバ２４が棚札情報に発注停止を示す図形等を表示するようにすれば、棚上の商品数が少なくなっても店舗担当者には異常ではないことがわかり、無用の混乱を与えることを防止できる。
【００５９】
なお、項目「表示内容」の値が「定番売価」である場合には、商品改廃支援サーバ２４は、商品情報ファイルの項目「定番売価」の値を表示するように、表示データユニットを作成する。ただし、前のステップ８０３において、その商品の特売期間中であると判定している場合には、特売情報ファイルの項目「特売売価」の値を表示するように、表示データユニットを作成する。
【００６０】
さらに、商品改廃支援サーバ２４は、商品棚の項目「棚」および「段」の値を電子ペーパの一定の位置（たとえば左端）に一定の寸法で表示するために必要な表示データユニット中の値を作成する。また、表示データユニットにおいて、最上段に関するものである場合のみ、項目「棚」および「段」の値を表示し、それ以外の段については、項目「段」の値を表示するようにしてもよい。なお、項目「棚」および「段」の情報については、項目「列」の値を「０」とし、通常の商品の棚札情報については、項目「列」の値を「１」以上として、区別すればよい。
【００６１】
なお、本実施の形態において、ある商品棚の段に配置される電子ペーパに表示すべき情報に対応する電子ペーパ表示データには、複数の棚札データユニットが含まれ、かつ、棚札データユニットは、複数のデータ表示ユニットから構成される。したがって、ステップ８０４においては、ある棚札データユニットを構成するそれぞれの表示データユニットが生成される処理が繰り返し実行されて、商品棚の段に関する電子ペーパ表示データが作成される。
【００６２】
［電子ペーパ表示データの電子ペーパ管理装置へ送信（ステップ８０５）］
商品改廃支援サーバ２４は、先のステップ８０４を繰り返し実行することにより作成し、メモリ或いはＤＢ２２に記憶した電子ペーパ表示データを、電子ペーパ管理装置２８へ送信する。電子ペーパ管理装置２８は、受信した電子ペーパ表示データを送信する。これにより、該当する電子ペーパの表示が変更される。この場合、ある棚、段に関する電子ペーパ表示データについて、まずその棚および段に相当する電子ペーパの表示状態を初期の状態（たとえば白紙）にした後に、受信した電子ペーパ表示データの表示を行う。このようにして、新旧データの重なり表示を避けることができる。
【００６３】
次に、ある段に関して、電子ペーパ表示データの作成が必要と判断した場合に、商品改廃支援サーバ２４が、ステップ８０４にて実行する表示データユニットの作成処理の詳細の一例について、図１０および図１１のフローチャートを参照して説明する。
【００６４】
［陳列情報ファイルのレコードの値の記憶（ステップ１００１）］
商品改廃支援サーバ２４は、陳列情報ファイル（図３参照）の項目「棚」、「段」および「列」の値、「列位置」の値（ｐとする）、「列幅」の値（ｈとする）を、メモリ或いはＤＢ２２に記憶する。
【００６５】
［棚札タイプファイルの読み込み（ステップ１００２）］
商品改廃支援サーバ２４は、陳列情報ファイルのレコードの項目「棚札タイプ」の値に基づき、棚札タイプファイルの該当レコードを読み込んで、メモリ或いはＤＢ２２に記憶する。ただし、対応する商品が特売期間中の場合は、特売情報ファイルの該当するレコードの項目「棚札タイプ」の値に基づき、棚札タイプファイルの該当レコードを読み込んで、メモリ或いはＤＢ２２に記憶する。
【００６６】
［棚札表示位置の計算（ステップ１００３）］
商品改廃支援サーバ２４は、読み込んだ棚札タイプレコード（図６参照）の項目「棚札幅」の値（ｗとする）を、メモリ或いはＤＢ２２に記憶する。次いで、電子ペーパの左端から測定した棚札を表示する位置（棚札の左端、ａとする）が計算される。棚札を表示する位置は、列の中央、左寄り、右寄りなどと、あらかじめ定められた位置に固定してもよいし、列が棚の左方にあれば左寄りに、右方にあれば右寄りにとその位置を変化させてもよい。たとえば、棚札を列の中央に表示する場合には、ａ＝ｐ＋（ｈ／２）−（ｗ／２）となる（図１２参照）。
【００６７】
［「表示ｎ」につき１つの表示データユニットを作成（ステップ１００５）］
商品改廃支援サーバ２４は、棚札タイプファイルのレコードの項目「表示ｎ」につき１つの表示データユニットのレコードを作成する。ここでｎ＝１，２，３，・・・である。すなわち、ある棚札を特定するデータ群である棚札データユニットについて、１以上の「表示ｎ」のサブ項目「横位置」の値（ｙとする）および「縦位置」の値（ｔとする）が作成され、記憶される。また、商品改廃支援サーバ２４は、ステップ１００１にて記憶された陳列情報ファイルのレコードの項目「棚」、「段」および「列」の値を、表示データユニットのレコードの項目「棚」、「段」および「列」のそれぞれの値として設定する。
【００６８】
［表示データユニットにおける「縦位置」および「横位置」の値の設定（ステップ１００６）］
商品改廃支援サーバ２４は、棚札タイプファイルのレコードの項目「表示ｎ」のサブ項目「横位置」の値（ｙとする）および「縦位置」の値（ｔとする）に基づき、表示データユニットのレコードの項目「横位置」の値（Ｙとする）および「縦位置」の値（Ｔとする）を設定する。この設定は、たとえば、「Ｙ＝ａ＋ｙ」および「Ｔ＝ｔ＋１０」というような式に従う。
【００６９】
［表示データユニットにおける「サイズ」および「表示種別」の値の設定（ステップ１１０１）
商品改廃支援サーバ２４は、棚札タイプファイルのレコードの項目「表示ｎ」のサブ項目「サイズ」および「表示種別」の値を、表示データユニットのレコードの項目「サイズ」および「表示種別」のそれぞれの値として設定する。
【００７０】
［表示データユニットの「表示項目ｍ」の値を得て記憶（ステップ１１０３）］商品改廃支援サーバ２４は、棚札タイプファイルのレコードの項目「表示ｎ」のサブ項目「表示項目ｍ」（ｍ＝１，２，３、・・・）の値を得る。「表示項目ｍ」の値は、商品情報ファイルの項目名称であるので、読み込み済みの商品情報ファイルのレコードの該当する項目の値が取得され、その値がメモリ或いはＤＢ２２に記憶される。
【００７１】
［表示データユニットにおける「表示内容」の値の設定（ステップ１１０４）］商品改廃支援サーバ２４は、ステップ１２０３を繰り返し実行して得た値について、「表示項目ｍ」中の「ｍ」の順序で値をつないだ結果を、表示データユニットのレコードの項目「表示内容」の値として設定する。
【００７２】
たとえば、図６の棚札タイプファイルの項目「表示２」におけるサブ項目「表示項目１」、「表示項目２」、「表示項目３」の値をもとに、図３の商品情報ファイルの項目「商品名称＿略字」、「規格容量」、「規格容量単位」の値を順につないで、“梅干し昆布１４ｇ”が、表示データユニットのレコードの項目「表示内容」の値として設定される。
【００７３】
次に、商品改廃支援サーバ２４にて実行される商品改廃処理について、図１３（ａ）に示すフローチャートを参照して説明する。商品改廃処理は、商品改廃支援サーバ２４の端末２５またはＧＯＴ３２から、商品改廃入力開始の指示が与えられることにより起動される。
【００７４】
［陳列情報をＧＯＴへの表示（ステップ１３０１）］
商品改廃支援サーバ２４は、店舗担当者による端末２５またはＧＯＴ３２からの商品棚の棚および段の値の入力を受け付けると、陳列情報ファイルおよび商品情報ファイルをＤＢ２２から読み込み、該当する棚および段の商品の陳列情報を表形式で、端末２５またはＧＯＴ３２の表示装置の画面上に表示する。図１４は表示された表形式の画像の例を示す図である。店舗担当者の所定の操作による指示したがって、商品改廃支援サーバ２４は、表形式の表示情報を順次スクロールすることもできる。
【００７５】
［商品改廃情報入力の受付（ステップ１３０２）］
本実施の形態において、商品改廃支援サーバ２４が、端末２５又はＧＯＴ３２の表示装置の画面上に、商品の陳列情報を表示するので、店舗担当者は、商品改廃すべき棚、段および列からなる行を指定入力することができる。これに応じて、商品改廃支援サーバ２４は、指定された行の直後に、新たな行を追加する。この指定入力により、同一の棚、段および列にかかる商品の情報が、２行続けて表示されることになる。しかしながら、追加された行においては、設定期間自および設定期間至の項目の値がもとの行（指定された行）の値と異なるため、あるタイミングで、同一の棚、段および列に複数の商品を陳列することを示すことにはならない。
【００７６】
追加された行には、指定入力された「棚」、「段」および「列」の値があらかじめ付与される。たとえば、図１４の例において、指定された行並びに追加された行の「棚」、「段」および「列」の値は、それぞれ、「１１１３２」「３」および「２」となっている。
【００７７】
次いで、店舗担当者が、端末２５やＧＯＴ３２を操作して、新たに陳列すべき商品の「商品コード」、「設定期間自」、「設定期間至」を入力すると、商品改廃支援サーバ２４は、商品情報ファイルをもとにして、「商品名略称」を表示すると共に、「フェース数」（横に何個並べるか）の値を計算し、計算結果を表示する。ここに、「フェース数＝棚幅／商品サイズ＿幅」である。
【００７８】
店舗担当者が、表示内容を確認した上で、端末２５やＧＯＴ３２を操作して、変更を指示すると、これに応答して、商品改廃支援サーバ２５は、ＤＢ２２の陳列情報ファイルに新たなレコードを追加するとともに、該当する棚、段および列の現商品の「設定期間至」の値を、新たに指定した商品の「設定期間自」の前日に変更して保存する。
【００７９】
店舗で行う商品改廃作業に関して、印刷された棚札使用時、電子棚札使用時、および、本実施の形態にかかる電子ペーパ使用時のそれぞれの作業手順の違いについて説明する。たとえば、図１５（ａ）に示すように、印刷された棚札使用時には、店舗担当者の指示により新商品の、印刷された棚札を作成準備し、店舗担当者が人手で新商品と入れ替え、かつ、印刷された棚札を付け替えしなければならない。さらに、店舗担当者は、棚割の変更すなわち陳列情報の変更を登録しなければならない。しかし、変更を登録しなくても、店舗業務の実施において、すぐには不都合が生じないため、しばしば、変更の登録が行われず放置されるのが実状である。この結果として、商品改廃を行うたびに実際の商品陳列の状態とコンピュータファイルに保持する商品陳列情報とが一致しなくなるという不都合が生じる。
【００８０】
図１５（ｂ）に示すように、電子棚札を使用する場合は、新商品の電子棚札を設定準備する作業は、自動化が可能である。しかしながら、それ以外の作業は、印刷された棚札使用時と同じく人手によらなければならない。また、棚割の変更の登録が行われず放置されることがしばしば生じ、商品改廃を行うたびに実際の商品陳列の状態とコンピュータファイルに保持する商品陳列情報とが一致しなくなるという不都合が生じることも同様である。
【００８１】
これに対して、図１５（ｃ）に示すように、電子ペーパ使用時には、店舗担当者が棚割の変更を登録すれば、その後は、新商品と入れ換える作業を行うだけでよい。店舗担当者は棚札の準備や、付け替え作業を行う必要はない。開店時までに、前述の商品改廃処理が自動的に実行され、電子ペーパ上には変更後の棚札情報が表示される。また、商品改廃作業そのものが棚割の変更の登録から始まるため、実際の商品陳列の状態とコンピュータファイルに保持する商品陳列情報とが一致する状態が常に保たれ、棚割及び店舗扱い商品管理を完全に行うことができる。
【００８２】
次に、商品発注情報の入力時に、商品改廃支援サーバが行う発注入力処理の一例について、図１３（ｂ）に示すフローチャートを参照して説明する。発注入力処理は、ＧＯＴ３２から、発注入力開始の指示が与えられることにより起動される。
【００８３】
［陳列情報のＧＯＴへの表示（ステップ１３１１）］
商品改廃支援サーバ２４は、店舗担当者によるＧＯＴ３２からの商品棚の棚および段の値の入力を受け付けると、陳列情報ファイルおよび商品情報ファイルをＤＢ２２から読み込み、該当する棚および段の商品で当日に発注可能なものの情報を表形式で、ＧＯＴの表示装置の画面上に表示する。図１６は、表示された表形式の画像の例を示す図である。店舗担当者の所定の操作による指示にしたがって、商品改廃支援サーバ２４は表形式の表示情報を順次スクロールすることもできる。
【００８４】
なお、当日の注文数を入力済みのものについて、その後も表示をするか否かについて、店舗担当者の操作に基づくＧＯＴ３２からの選択指示に従って、商品改廃支援サーバ２４が、入力済みのものを除いた表示或いは入力済みのものも含む表示を、切り替えるようにしてもよい。このようにすれば、入力の必要な情報だけを表示して、発注漏れを防ぐことが可能となる。また、店舗担当者の操作に基づくＧＯＴ３２からの選択指示に従って、入力済みのものについても表示すれば、注文数の再確認の作業を支援することができる。
【００８５】
［発注情報入力の受け付け（ステップ１３１２）］
ＧＯＴの表示装置の画面上には、発注すべき商品の情報が表示されるので、店舗担当者は、該当する棚、段および列にある商品の在庫を調べて、図１６に示す画面から、必要な商品の注文数を入力すればよい。店舗担当者が注文数を入力すると、これに応答して、商品改廃支援サーバ２４は、当該商品の商品コード、注文数などを、ＤＢ２２の発注情報ファイルに保存する。本実施の形態によれば、実際の陳列場所と、陳列情報ファイルの内容とが一致しているため、店舗担当者は、従来のように、発注すべき商品の棚、段および列を記憶や目視に頼って探しだすこと、および、商品コードの入力操作が不要となり、効率的に作業することが可能となる。なお、保存された発注情報ファイルは、店舗サーバ２０において別途実行される発注処理の入力となる。
【００８６】
なお、棚卸作業においても、発注入力処理と同様の手法にて、注文数の代わりに在庫数を入力するようにすれば、店舗担当者は、従来のような、棚卸し対象商品の商品コードの入力操作が不要となり、効率的に作業することが可能となる。
【００８７】
本実施の形態によれば、店舗における、実際の商品陳列の状態とコンピュータファイルに保持する商品陳列情報とが常に一致しているため、棚割および店舗扱い商品の管理を効率よく行うことができる。具体的には次のような効果がある。
【００８８】
（１）商品改廃、売価の変更、特売による一時的な売価の変更において、印刷された棚札や電子棚札の準備や人手による付け替えを行わなくてよい。
【００８９】
（２）商品発注や棚卸の場合には、正確な陳列情報ファイルの内容を事前表示して入力案内することにより、店舗担当者の商品コードや陳列場所の入力操作が少なくなるとともに、熟練者でなくても入力が可能となる。
【００９０】
（３）コンピュータを使用し、売れ筋商品分析をおこなう際に、商品陳列情報を改めて入力する必要がない。
【００９１】
本発明は、以上の実施の形態に限定されることなく、特許請求の範囲に記載された発明の範囲内で、種々の変更が可能であり、それらも本発明の範囲内に包含されるものであることは言うまでもない。
たとえば、前記実施の形態においては、電子ペーパ管理装置から無線にて電子ペーパ表示データの信号が各電子ペーパに伝達され、電子ペーパ中の所定の位置に棚札の情報が表示されるように構成されているが、これに限定されるものではなく、光ケーブルなどで電子ペーパ管理装置と各電子ペーパとを接続することで、ＬＡＮを構築し、電子ペーパに表示をなすことができるように構成しても良い。
【００９２】
【発明の効果】
本発明によれば、商品の改廃や価格の変更に伴う商品の陳列情報を容易にかつ確実に把握し、棚札表示を実行することができる商品改廃支援システムを提供することが可能となる。
【図面の簡単な説明】
【図１】図１は、本発明の実施の形態にかかる商品改廃支援システムのシステム構成を示すブロックダイヤグラムである。
【図２】図２は、本実施の形態にかかる商品情報ファイルの例を示す図である。
【図３】図３は、本実施の形態にかかる陳列情報ファイルの例を示す図である。
【図４】図４は、本実施の形態にかかる特売情報ファイルの例を示す図である。
【図５】図５は、本実施の形態にかかる電子ペーパの棚への配置を示す図である。
【図６】図６は、本実施の形態にかかる棚札タイプファイルの例を示す図である。
【図７】図７は、本実施の形態にかかる棚札の表示例を示す図である。
【図８】図８は、本実施の形態にかかる商品改廃支援サーバにて実行される電子ペーパ表示データ作成処理の例を示すフローチャートである。
【図９】図９は、本実施の形態にかかる表示データユニットの例を示す図である。
【図１０】図１０は、本実施の形態にかかる表示データユニットの作成処理の例を詳細に示すフローチャートである。
【図１１】図１１は、本実施の形態にかかる表示データユニットの作成処理の例を詳細に示すフローチャートである。
【図１２】図１２は、棚札の表示位置を説明するための図である。
【図１３】図１３（ａ）は、本実施の形態にかかる商品改廃処理の例を示すフローチャート、図１３（ｂ）は、発注入力処理の例を示すフローチャートである。
【図１４】図１４は、端末やＧＯＴの表示装置の画面上に表示された表形式の画像の例を示す図である。
【図１５】図１５は、商品改廃の際に必要な作業を比較して示す図である。
【図１６】図１６は、端末やＧＯＴの表示装置の画面上に表示された表形式の画像の例を示す図である。
【符号の説明】
１２    本部システム
１４    店舗システム
１６    ＰＯＳ端末
１７    商品マスタ記憶装置
１８    本部サーバ
１９    集配信ネットワーク
２０    店舗サーバ
２２    データベース
２４    商品改廃支援サーバ
２５、２６  端末
２８    電子ペーパ管理装置
３０    電子ペーパ
３２    ＧＯＴ
３４    商品改廃支援システム
【図１】
2004334415.tif 000003
【図２】
2004334415.tif 000004
【図３】
2004334415.tif 000005
【図４】
2004334415.tif 000006
【図５】
2004334415.tif 000007
【図６】
2004334415.tif 000008
【図７】
2004334415.tif 000009
【図８】
2004334415.tif 000010
【図９】
2004334415.tif 000011
【図１０】
2004334415.tif 000012
【図１１】
2004334415.tif 000013
【図１２】
2004334415.tif 000014
【図１３】
2004334415.tif 000015
【図１４】
2004334415.tif 000016
【図１５】
2004334415.tif 000017
【図１６】
2004334415.tif 000018